(57)【特許請求の範囲】
【請求項１】
画面に対するタッチ操作を検出するタッチ操作判断部と、
機器の条件を設定するため指定された指定項目につき、前記指定項目での具体的な条件を選択するための選択肢列と、前記選択肢列に並べられた中からタッチ操作により選択肢を選ぶための選択操作ガイドとを表示する表示制御部と、備え、
前記表示制御部は、前記選択肢列として、上位の選択肢列と、当該上位の選択肢列の各選択肢から更に選択される下位の選択肢列とを、並べて表示し、
さらに、前記表示制御部は、前記選択操作ガイドとして、前記上位の選択肢列の中から選択肢を選ぶための上位選択操作ガイドと前記下位の選択肢列の中から選択肢を選ぶための下位選択操作ガイドをそれぞれ表示する
ことを特徴とする表示制御装置。
【請求項２】
前記表示制御部は、前記指定項目の選択肢の数が多い場合には、タッチ操作に対する選択肢の切換え速度が異なる複数の選択操作ガイドを表示し、前記指定項目の選択肢の数が少ない場合には、前記選択肢の切換え速度が単一の選択操作ガイドを表示する
ことを特徴とする請求項１に記載の表示制御装置。
【請求項３】
前記表示制御部は、前記選択肢列を選択肢エリアに表示し、前記選択操作ガイドを選択操作エリアに表示する
ことを特徴とする請求項１に記載の表示制御装置。
【請求項４】
請求項１乃至３のいずれか1項に記載された表示制御装置を有し、
前記表示制御部は、前記機器の条件として撮影条件を表示し、
前記選択操作ガイドで選択された選択肢に応じて、前記撮影条件を設定する撮影条件設定部を備える
ことを特徴とする撮像装置。  
【請求項５】
画面に対するタッチ操作を検出するタッチ操作判断処理と、
機器の条件を設定するため指定された指定項目につき、前記指定項目での具体的な条件を選択するための選択肢列と、前記選択肢列に並べられた中からタッチ操作により選択肢を選ぶための選択操作ガイドとを、表示する表示制御処理と、含み、
前記表示制御処理は、前記選択肢列として、上位の選択肢列と、当該上位の選択肢列の各選択肢から更に選択される下位の選択肢列とを、並べて表示し、
さらに、前記表示制御処理は、前記選択操作ガイドとして、前記上位の選択肢列の中から選択肢を選ぶための上位選択操作ガイドと前記下位の選択肢列の中から選択肢を選ぶための下位選択操作ガイドをそれぞれ表示する
ことを特徴とする表示制御方法。
【請求項６】
コンピュータに表示制御を実行させるプログラムにおいて、
画面に対するタッチ操作を検出するタッチ操作判断処理と、
機器の条件を設定するため指定された指定項目につき、前記指定項目での具体的な条件を選択するための選択肢列と、前記選択肢列に並べられた中からタッチ操作により選択肢を選ぶための選択操作ガイドとを、表示する表示制御処理と、含み、
前記表示制御処理は、前記選択肢列として、上位の選択肢列と、当該上位の選択肢列の各選択肢から更に選択される下位の選択肢列とを、並べて表示し、
さらに、前記表示制御処理は、前記選択操作ガイドとして、前記上位の選択肢列の中から選択肢を選ぶための上位選択操作ガイドと前記下位の選択肢列の中から選択肢を選ぶための下位選択操作ガイドをそれぞれ表示する
ことを特徴とするプログラム。
【発明の詳細な説明】
【技術分野】
【０００１】
本発明は、機器条件の設定値を変更するためのユーザーインターフェースの技術に関する。
【背景技術】
【０００２】
多機能電話やデジタルカメラ等の携帯型の情報機器の多くにはタッチパネルが搭載され、タッチパネルに表示される各種設定画面へのタッチ操作により必要な条件設定が行われる。このように小型サイズのタッチパネルにおいて、情報機器に搭載されている機能は豊富であるため、機器の設定条件は階層的に構成されることが多い。このようなものとして、例えば特許文献１が提案されている。
【先行技術文献】
【特許文献】
【０００３】
【特許文献１】特開２０１１−１５９１６６号公報
【発明の概要】
【発明が解決しようとする課題】
【０００４】
しかし特許文献１の提案では、表示領域がタッチ領域を兼ねている。多数の情報を表示する際には、タッチ操作性を向上するためにタッチ用のアイコンが所定以上のサイズが必要になるため、まとめて表示できる情報の数に制限が生じて視認性に欠ける。また階層的に構成した場合には、下位の階層に遷移した際にその上位階層にどのような設定条件があるか等が分かり難くなる。
本願発明は、上記課題に鑑み、小型のタッチパネルでも、タッチ操作によって確実に条件選択ができ、またユーザが階層を意識しないでも条件選択が容易であり、機器の条件の選択操作と視認性に優れた表示制御装置を提供することを目的とする。
【課題を解決するための手段】
【０００５】
上記目的を達成するために、本発明にかかる表示制御装置は、画面に対するタッチ操作を検出するタッチ操作判断部と、機器の条件を設定するため指定された指定項目につき、前記指定項目での具体的な条件を選択するための選択肢列と、前記選択肢列に並べられた中からタッチ操作により選択肢を選ぶための選択操作ガイドとを表示する表示制御部と、備え、前記表示制御部は、前記選択肢列として、上位の選択肢列と、当該上位の選択肢列の各選択肢から更に選択される下位の選択肢列とを、並べて表示し、さらに、前記表示制御部は、前記選択操作ガイドとして、前記上位の選択肢列の中から選択肢を選ぶための上位選択操作ガイドと前記下位の選択肢列の中から選択肢を選ぶための下位選択操作ガイドをそれぞれ表示する。
【発明の効果】
【０００６】
本発明によれば、機器の条件の選択操作と視認性に優れた表示制御装置を提供することができる。
【図面の簡単な説明】
【０００７】
【図１】デジタルカメラのブロック図である。
【図２】表示制御処理の手順を説明するメインのフローチャートである。
【図３】第１の撮影画面と第２の撮影画面を示す図である。
【図４】設定項目一覧表示の手順を説明するためのサブルーチンである。
【図５Ａ】第１の選択肢処理の手順を説明するサブルーチン１である。
【図５Ｂ】第１の選択肢処理の手順を説明するサブルーチン２である。
【図６Ａ】第１の選択操作ガイドを示す図である。
【図６Ｂ】第１の選択操作ガイドによる選択肢の送り例を示す図である。
【図７】第２の選択操作ガイドを示す図である。
【図８】第２の選択操作ガイドによる送り例を示す図である。
【図９】第２の選択操作ガイドによる送り例を示す図である。
【図１０】第３の選択操作ガイドを示す図である。
【図１１】第３の選択操作ガイドの他の表示形態を示す図である。
【図１２】第２の選択肢処理の手順を説明するサブルーチンである。
【図１３】第２の選択肢処理における第４の選択操作ガイドその１を示す図である。
【図１４】第２の選択肢処理における第４の選択操作ガイドその２を示す図である。
【図１５】第２の選択肢処理における第４の選択操作ガイドその３を示す図である。
【図１６】第２の選択肢処理における第４の選択操作ガイドその４を示す図である。
【図１７】選択操作ガイドのその他の形態例を示す図である。
【図１８】確定操作の具体例を説明する図である。
【発明を実施するための形態】
【０００８】
以下、図面に従って本発明の表示制御装置についての実施形態を説明する。なお、以下では、表示制御装置を、携帯型の情報機器の１つであるデジタルカメラに搭載された例で説明する。
【０００９】
図１は、デジタルカメラ１のブロック図である。デジタルカメラ１は、撮像部２、画像処理部４、ＲＡＭ６、メモリ８、操作部１０、タッチパネル１２、表示部１４、制御部２０等を有する。
【００１０】
撮像部２は、被写体像を結像させるレンズと結像された画像信号を光電変換して画像信号として出力する撮像素子を有するカメラ部と、画像信号のゲインを調整してＡＤ変換し画像データとして出力する撮像回路部を有する。
【００１１】
画像処理部４は、ゲイン調整、色補間処理、ＷＢ（ホワイトバランス）処理、γ（ガンマ）処理、階調処理、圧縮伸長処理（例えばＪＰＥＧ処理）及び特殊効果撮影処理等の各種処理を、画像信号に対し行う。
【００１２】
ＲＡＭ６は、撮像部２から出力される画像データを格納し、画像処理部４による各種処理におけるワーキングエリアを提供する、一時記憶メモリである。メモリ８は、画像処理部４により圧縮処理された画像データを保管する保存用のメモリである。
【００１３】
操作部１０は、電源のオンオフ制御を指示する電源ボタン、撮影モードと再生モードを切換えるモードボタン、撮影の実行を指示するレリーズボタン、ライブビューの切換えを指示するＩボタン、ＸＹ方向ボタン、ＯＫボタン及びダイヤル等（いずれも不図示）を有する。
【００１４】
タッチパネル１２は、画面に対するユーザの接触位置を検出する操作手段であって、表示部１４と一体的に設けられる。表示部１４は、ＬＣＤ等から構成され、デジタルカメラ１の背面等に配置される。表示部１４には、撮影画像や撮影メニューあるいは撮影条件設定画面等が表示される。
【００１５】
制御部２０は、デジタルカメラ１の全体を統括的に制御する制御部である。制御部２０は、ＣＰＵ２０ａとメモリ２０ｂを有する。ＣＰＵ２０ａは、メモリ２０ｂに記憶された制御用プログラム２０ｃを読み込んで、制御処理を実行する。
【００１６】
制御部２０は、ＣＰＵ２０ａにより実行される表示制御処理に係る機能部として、撮影条件設定部２２、タッチ操作判断部２４、表示制御部２６を有する。制御部２０により、表示制御装置は構成される。
【００１７】
撮影条件設定部２２は、撮影モードにおいて、操作部１０やタッチ操作判断部２４で検出されたユーザからの指示に基づき、撮像部２や画像処理部４に対して各種撮影条件の設定を指示する。各種撮影条件により設定される項目を、撮影条件設定項目、あるいは略して設定項目と呼ぶ。
【００１８】
撮影条件設定部２２は、撮像部２に対して、ＩＳＯ感度、ＡＦモード等を設定項目として、具体的な条件を設定する。撮影条件設定部２２は、画像処理部４に対して、ＩＳＯ感度、ホワイトバランス、アスペクト比、連写モード、特殊効果撮影処理等を設定項目として、具体的な条件を設定する。なお、ＩＳＯ感度は、撮像部２又は画像処理部４のいずれか一方だけで設定されてもよい。
【００１９】
タッチ操作判断部２４は、タッチパネル１２から出力された信号を受信して、タッチの位置やタッチの時間あるいはタッチの方向等を検出して、タッチ操作の内容を判断する  
【００２０】
表示制御部２６は、ＲＡＭ６をビデオメモリとして、表示部１４に表示する表示画像を作成し、作成した表示画像を表示部１４に表示制御する。表示制御部２６は、再生モード時には、メモリ８に記録された撮影画像を表示する。
【００２１】
撮影モード時には、表示制御部２６は、ライブビュー単独、あるいはライブビューに撮影ガイドや撮影条件設定項目を重畳して表示する。表示制御部２６は、機器の条件を設定するための設定項目が複数配列された設定項目一覧を表示する。表示制御部２６は、設定項目一覧の中で指定された指定項目につき、指定項目での具体的な条件を選択するための選択肢列が設けられる選択肢エリア、及び選択肢列に並べられた中から選択肢を選ぶために選択操作ガイドが設けられる選択操作エリアを表示する。
【００２２】
図２は、表示制御処理の手順を説明するメインのフローチャートである。表示制御処理は、制御部２０、撮影条件設定部２２、タッチ操作判断部２４及び表示制御部２６等により実行される。
【００２３】
制御部２０は、電源ボタンにより電源オンされたかを判断する（ステップＳ１０）。制御部２０は、電源オンされていないと判断すると（ステップＳ１０ＮＯ）、ステップＳ１０をループする。
【００２４】
制御部２０は、電源オンされたと判断すると（ステップＳ１０ＹＥＳ）、モードボタンが操作されて撮影モードになっているかを判断する（ステップＳ１２）。制御部２０は、撮影モードではない、つまり再生モードであると判断すると（ステップＳ１２ＮＯ）、制御部２０は、デジタルカメラ１を再生モードに設定し（ステップＳ１６）、ステップＳ２４に進む。本実施形態は、主に撮影モードにおける処理であるので、再生モードの説明は省略する。
【００２５】
制御部２０は、撮影モードであると判断すると（ステップＳ１２ＹＥＳ）、制御部２０は、デジタルカメラ１を、撮影モードに設定する（ステップＳ１４）。制御部２０は、撮像部２や画像処理部４を起動して、ライブビューを表示部１４に表示する。
【００２６】
制御部２０は、画面が設定項目一覧表示であるかを判断する（ステップＳ１８）。表示制御部２６は、撮影モードでは、ライブビューの単独画面でＯＫボタンが押下されると、撮影条件設定可能な画面として、第１の撮影画面又は第２の撮影画面を表示する。第１の撮影画面２００と第２の撮影画面との切換えは、Ｉボタンで行われる。図３は、第１の撮影画面２００と第２の撮影画面２０１をそれぞれ示す図である。第２の撮影画面２０１が設定項目一覧表示である。
【００２７】
第１の撮影画面２００は、ライブビューの周囲に設定項目を配置された画面である。第１の撮影画面２００では、画面中央にライブビュー１００が表示され、ライブビュー１００の右側端に設定項目が縦に配列させ、ライブビュー１００の下部に設定項目の中で指定された項目の選択肢が横に配列される。本例は、設定項目の中でホワイトバランス（ＷＢ）が指定された場合の例で、選択肢として、ホワイトバランスの各条件が表示される。
【００２８】
右側端に設定項目は、ＸＹ方向ボタンのＹ方向ボタンで選択され、下部の選択肢は、ＸＹ方向ボタンのＸ方向ボタンで選択される。第１の撮影画面２００は、ライブビュー１００が常に表示されるので、画面で効果を確認しながら撮影条件を設定することができる。
【００２９】
第２の撮影画面２０１では、ライブビュー１００の大部分を覆うような大きさで設定項目一覧１１０が表示される画面である。設定項目一覧１１０は、設定項目をマトリクス状に画面全体に配列して、設定項目を一覧的に確認できるようにしたものである。一覧的に確認することで、他の設定項目との対比が容易にできるので、より最適な撮影条件の設定が可能になる。
【００３０】
図２に戻る。撮影条件設定部２２は、画面が設定項目一覧表示（第２の撮影画面２０１）ではないと判断する（ステップＳ１８ＮＯ）、ステップＳ２０をスキップして、ステップＳ２２に進む。撮影条件設定部２２は、画面が設定項目一覧表示であると判断すると（ステップＳ１８ＹＥＳ）、つまり、第２の撮影画面２０１である場合には、設定項目一覧表示を行う（ステップＳ２０）。制御部２０は、設定項目一覧表示の終了後、レリーズボタンの操作を検出すると、撮影処理を実行する（ステップＳ２２）。
【００３１】
また、制御部２０は、電源ボタンによる電源オフ操作を検出したかを判断する（ステップＳ２４）。制御部２０は、電源ボタンによる電源オフ操作を検出しないと判断すると（ステップＳ２４ＮＯ）、ステップＳ１２に戻る。制御部２０は、電源ボタンによる電源オフ操作を検出したと判断すると（ステップＳ２４ＹＥＳ）、終了処理を実行する。
【００３２】
図４は、設定項目一覧表示の手順を説明するためのサブルーチンである。表示制御部２６は、ＯＫボタン及びＩボタンの操作等により選択された設定項目一覧１１０（図３の第２の撮影画面２０１）を表示する（ステップＳ３０）。
【００３３】
タッチ操作判断部２４は、設定項目一覧１１０の項目のいずれかがタッチされたかを判断する（ステップＳ３２）。タッチ操作判断部２４は、設定項目一覧１１０の項目のいずれかがタッチされていないと判断した場合に（ステップＳ３２ＮＯ）、Ｉボタン等の操作により、設定項目一覧表示終了操作がされたかを判断する（ステップＳ３４）。タッチ操作判断部２４により設定項目一覧表示終了操作がされたと判断されると（ステップＳ３４ＹＥＳ）、表示制御部２６は、設定項目一覧表示を終了する（ステップＳ３６）。タッチ操作判断部２４は、設定項目一覧表示終了操作がされていないと判断すると（ステップＳ３４ＮＯ）、ステップＳ３２に戻る。
【００３４】
タッチ操作判断部２４により設定項目一覧１１０の項目のいずれかでタッチがされたと判断すると（ステップＳ３２ＹＥＳ）、制御部２０は、第１の選択肢処理を行う（ステップＳ３８）。
【００３５】
<第１の選択肢処理>
図５Ａ，図５Ｂは、第１の選択肢処理の手順を説明するサブルーチン１，２である。図６〜図１１は、第１の選択肢処理の画面例を示す図である。第１の選択肢処理は、指定項目の選択肢数、あるいは下位の選択肢の有無に応じて、形態の異なる選択操作ガイドが設けられる選択操作エリアを表示するものである。
【００３６】
図６〜図１１を参照しながら、第１の選択肢処理の手順を説明する。図６Ａの左上の画面２１０は、表示部１４にライブビュー１００のみが表示された画面である。図６Ａの右上の画面２１１が、ＯＫボタンやＩボタン等の操作により、ライブビュー１００に設定項目一覧１１０が重畳された画面（第２の撮影画面）である。
【００３７】
設定項目一覧１１０を構成する項目のいくつかを説明する。項目１１０ａは、ＩＳＯ感度に関する条件で、現在「４００」に設定されている。項目１１０ａの選択肢数は、ＡＵＴＯ、４０、８０、・・・、２５６００の計１２とする。
【００３８】
項目１１０ｂは、ホワイトバランスで、現在自動（ＡＵＴＯ）に設定されていて、選択肢数は１０とする。項目１１０ｃは、フラッシュ発光モードで、選択肢数は１０とする。項目１１０ｄは、手ブレ補正で、選択肢数は５とする。
【００３９】
項目１１０ｅは、ＡＦモードで、選択肢数は５とする。項目１１０ｆは、アスペクト比で、選択肢数は５とする。項目１１０ｇは、特殊効果撮影の種類で、選択肢数は８とする。また、項目１１０ｇの特殊効果撮影は、後述する下位の選択肢を有する項目である。
【００４０】
タッチ操作判断部２４が、いずれかの項目にタッチ操作されたことを検出すると、表示制御部２６は、設定項目一覧１１０の中からタッチ操作で指定された項目（以下、指定項目と称す）を拡大表示する（ステップＳ４０）。ここで、項目１１０ｆのアスペクト比が指定されたとする。図６Ａの左中段の画面２１２は、項目１１０ｆのアスペクト比がタッチされた様子を示す図である。表示制御部２６は、項目１１０ｆを拡大した指定項目エリア１１６を、設定項目一覧１１０の中央に重畳して表示する（図６Ａの右側中段の画面２１３）。
【００４１】
タッチ操作判断部２４は、指定項目が下位の選択肢（下位の階層とも称す）を有する項目であるかを判断する（ステップＳ４２）。下位の選択肢とは、選択肢に設けられた更に下位の条件である。タッチ操作判断部２４は、指定項目が下位の選択肢を有する項目でないと判断すると（ステップＳ４２ＮＯ）、ステップＳ４４に進む。
【００４２】
タッチ操作判断部２４は、指定項目が選択肢の少ない項目であるかを判断する（ステップＳ４４）。指定項目の選択肢の数に応じた選択操作ガイドを表示するためである。ここで、選択肢が５個以下である項目を選択肢の少ない項目とする。
【００４３】
選択肢の少ない項目とは、例えば、項目１１０ｆのアスペクト比、項目１１０ｄの手ブレ補正や項目１１０ｅのＡＦモード等である。選択肢の多い項目とは、例えば、項目１１０ａのＩＳＯ感度、項目１１０ｂのホワイトバランス、項目１１０ｃのフラッシュ発光モード、項目１１０ｇの特殊効果撮影の種類等である。
【００４４】
〔第１の選択操作ガイド〕
タッチ操作判断部２４が、指定項目が選択肢の少ない項目であると判断すると（ステップＳ４４ＹＥＳ）、表示制御部２６は、指定項目に対応する選択肢列１２０を表示する（ステップＳ４６）。表示制御部２６は、画面上部の選択肢エリア１２０ａを表示し、選択肢エリア１２０ａ内に選択肢列１２０を表示する（ステップＳ４６）。
【００４５】
表示制御部２６は、同時に、拡大した指定項目エリア１１６に代わり、第１の選択操作ガイド１３２を表示する（ステップＳ４８）。表示制御部２６は、画面中央に選択操作エリア１３０を表示し、選択操作エリア１３０内に第１の選択操作ガイド１３２を表示する。図６Ａ下段の画面２１４に、例を示す。
【００４６】
選択操作エリア１３０の上段に指定された項目の機能を表す名称である指定項目名１３０ｅが表示され、下段の右側に第１の選択操作ガイドＡ１３２ａと、左側に第１の選択操作ガイドＢ１３２ｂが設けられる。第１の選択操作ガイドＡ１３２ａと第１の選択操作ガイドＢ１３２ｂを合わせて、第１の選択操作ガイド１３２とも呼ぶ。なおここでは、指定項目名１３０ｅを表示したが、後述するように、指定された選択肢名を表示してもよい。
【００４７】
第１の選択操作ガイドＡ１３２ａは、選択肢を１つずつ右方向に送っていくものである。第１の選択操作ガイドＢ１３２ｂは、選択肢を１つずつ左方向に送っていくものである。また、第１の選択操作ガイドＡ１３２ａと第１の選択操作ガイドＢ１３２ｂは、選択肢を１つずつ送るボタンであるので、通常選択操作ガイドとも呼ぶ。
【００４８】
選択肢エリア１２０ａには、指定項目の選択肢列１２０が横一列に表示され、ここでは、アスペクト比の選択肢の５つが表示される。選択肢列１２０の現在の選択肢（３：２）にカーソル１２２が表示される。選択肢エリア１２０ａは、選択操作エリア１３０から離れた位置に表示される。
【００４９】
タッチ操作判断部２４は、第１の選択操作ガイドＡ１３２ａまたは第１の選択操作ガイドＢ１３２ｂに対するタッチを検出したかを判断する（ステップＳ５０）。タッチ操作判断部２４が、タッチを検出したと判断すると（ステップＳ５０ＹＥＳ）、表示制御部２６は、タッチ操作判断部２４の検出に応じて、カーソルを移動させる（ステップＳ５２）。
【００５０】
表示制御部２６は、第１の選択操作ガイドＡ１３２ａの１回のタッチで、選択肢列１２０上でカーソルを右に１つ移動させ、または第１の選択操作ガイドＢ１３２ｂの１回のタッチで、選択肢列１２０上でカーソルを左に１つ移動させる。
【００５１】
図６Ｂは、第１の選択操作ガイド１３２による選択肢の切換え例を示す図である。図６Ｂの画面２１５は、第１の選択操作ガイドＡ１３２ａへの１回のタッチで、カーソル１２２が、１つ右の選択肢（１：１）に移動した例である。第１の選択操作ガイドＢ１３２ｂも同様である。
【００５２】
なお、表示制御部２６は、第１の選択操作ガイドＡ１３２ａまたは第１の選択操作ガイドＢ１３２ｂへのタッチ時間に応じて、選択肢を連続して移動させてもよい。例えば、１秒間のタッチで、選択肢を２つ移動させてもよい。
【００５３】
タッチ操作判断部２４は、タッチ操作を検出していないと判断すると（ステップＳ５０ＮＯ）、ステップＳ５２をスキップして、ステップＳ５４に進む。
【００５４】
タッチ操作判断部２４は、選択肢を確定するための確定操作がされたかを判断する（ステップＳ５４）。希望する選択肢への切換え後に、変更された選択肢を確定する操作がユーザにより行われる。確定操作は、例えばＯＫボタンの押下や、５秒以上タッチパネル１２に操作がない場合、あるいは、タッチパネル１２への特定の操作（縦方向へのスライド操作）である。
【００５５】
タッチ操作判断部２４は、確定操作がされていないと判断すると（ステップＳ５４ＮＯ）、ステップＳ５０に戻る。タッチ操作判断部２４が確定操作がされたと判断すると（ステップＳ５４ＹＥＳ）、表示制御部２６は、第１の選択操作ガイド１３２や選択肢列１２０等を消去する（ステップＳ５６）。図６Ｂの画面２１６は、項目１１０ｆのアスペクト比が１：１に変更され確定操作がされて、設定項目一覧１１０の画面に戻った状態である。第１の選択処理を終えると、図４のステップＳ３２に戻り、次の指示を待つ。
【００５６】
〔第２の選択操作ガイド〕
図５ＡのステップＳ４４に戻る。ここでは、ステップＳ４０で項目１１０ｆのアスペクト比ではなく、選択肢の多い項目である項目１１０ａのＩＳＯ感度が指定されたとする。
【００５７】
表示制御部２６は、指定項目が選択肢の少ない項目ではないと判断すると（ステップＳ４４ＮＯ）、指定項目に対応する選択肢列１２０を表示する（ステップＳ６０）。表示制御部２６は、画面の上部に選択肢エリア１２０ａを表示し、選択肢エリア１２０ａ内に選択肢列１２０を表示する。
【００５８】
同時に、表示制御部２６は、第２の選択操作ガイド１４２を表示する（ステップＳ６２）。表示制御部２６は、指定項目エリア１１６に代わり、画面中央に選択操作エリア１４０を表示し、選択操作エリア１４０内に第２の選択操作ガイド１４２を表示する。図７は、第２の選択操作ガイド例を示す画面で、画面２２０、画面２２１、画面２２２が順番に表示される。
【００５９】
表示制御部２６は、選択肢列１２０として、指定項目の選択肢を選択肢エリア１２０ａに横一列に表示する。ここでは、ＩＳＯ感度の選択肢の一部である７つの選択肢を表示する。表示制御部２６は、選択肢列１２０の現在の選択肢（４００）にカーソル１２２を表示する。
【００６０】
表示制御部２６は、選択操作エリア１４０の上段に、指定項目名１４０ｅを表示する。表示制御部２６は、選択操作エリア１４０の下段に、第２の選択操作ガイド１４２を設ける。第２の選択操作ガイド１４２は、右側中央寄りの第２の選択操作ガイドＡ１４２ａと右端の第２の選択操作ガイドＣ１４２ｃと、左側中央寄りの第２の選択操作ガイドＢ１４２ｂと左端の第２の選択操作ガイドＤ１４２ｄから構成される。図７の画面２２２に示すようである。
【００６１】
第２の選択操作ガイドＡ１４２ａと第２の選択操作ガイドＢ１４２ｂは、前述の第１の選択操作ガイドＡ１３２ａと第１の選択操作ガイドＢ１３２ｂと同等な機能である。表示制御部２６は、第２の選択操作ガイドＡ１４２ａまたは第２の選択操作ガイドＢ１４２ｂへの１回のタッチで、カーソルを選択肢列１２０で１つずつ移動させる。あるいは、表示制御部２６は、第２の選択操作ガイドＡ１４２ａまたは第２の選択操作ガイドＢ１４２ｂのタッチ時間に応じて、０．５ｓｅｃ／１選択肢程度の速度(通常の速度)でカーソルを移動させるようにしてもよい。
【００６２】
第２の選択操作ガイドＣ１４２ｃと第２の選択操作ガイドＤ１４２ｄは、第２の選択操作ガイドＡ１４２ａと第２の選択操作ガイドＢ１４２ｂよりも、カーソルを速く移動させる。表示制御部２６は、第２の選択操作ガイドＣ１４２ｃまたは第２の選択操作ガイドＤ１４２ｄへの１回のタッチで、カーソルを例えば３つずつ右または左に送っていく。あるいは、表示制御部２６は、第２の選択操作ガイドＣ１４２ｃまたは第２の選択操作ガイドＤ１４２ｄのタッチ時間に応じて、０．２ｓｅｃ／１選択肢程度の速い速度で、カーソルを移動させるようにしてもよい。
【００６３】
このように、第２の選択操作ガイド１４２は、高速選択操作ガイド（第２の選択操作ガイドＣ１４２ｃと第２の選択操作ガイドＤ１４２ｄ）と、低速選択操作ガイド（第２の選択操作ガイドＡ１４２ａと第２の選択操作ガイドＢ１４２ｂ）の、切換え速度の異なる２種の選択操作ガイドから構成される。
【００６４】
タッチ操作判断部２４は、第２の選択操作ガイド１４２へのタッチを検出したかを判断する（ステップＳ６４）。タッチ操作判断部２４が、タッチ操作を検出したと判断すると（ステップＳ６４ＹＥＳ）、表示制御部２６は、タッチ操作判断部２４の検出に応じて、カーソルを移動させる（ステップＳ６６）。
【００６５】
図８は、第２の選択操作ガイドＡ１４２ａと第２の選択操作ガイドＢ１４２ｂによる送り例を示す図である。表示制御部２６は、第２の選択操作ガイドＡ１４２ａへの１回のタッチにより、カーソル１２２を４００から８００に移動させ（図８の画面２３０）、第２の選択操作ガイドＡ１４２ａへの再度のタッチにより、カーソル１２２を８００から１６００に移動させる（図８の画面２３１）。
【００６６】
また、表示制御部２６は、第２の選択操作ガイドＢ１４２ｂへの１回のタッチにより、カーソル１２２を４００から２００に移動させ（図８の画面２３２）、第２の選択操作ガイドＢ１４２ｂへの再度のタッチにより、カーソル１２２を２００から１００に移動させる（図８の画面２３３）。
【００６７】
図９は、第２の選択操作ガイドＣ１４２ｃと第２の選択操作ガイドＤ１４２ｄによる送り例を示す図である。表示制御部２６は、第２の選択操作ガイドＣ１４２ｃへの１回のタッチにより、カーソル１２２を４００から３２００へ３段分移動させ（図８の画面２４０）、第２の選択操作ガイドＣ１４２ｃへの再度のタッチにより、カーソル１２２を３２００から２５６００へ３段分移動させる（図８の画面２４１）。
【００６８】
また、表示制御部２６は、第２の選択操作ガイドＤ１４２ｄへの１回のタッチにより、カーソル１２２を４００から８０へ３段分移動させ（図８の画面２４２）、第２の選択操作ガイドＤ１４２ｄへの再度のタッチにより、カーソル１２２を８０からＡＵＴＯまで移動させる（図８の画面２４３）。ＡＵＴＯがＩＳＯ感度の選択肢の下限だからである。
【００６９】
タッチ操作判断部２４は、タッチ操作を検出していないと判断すると（ステップＳ６４ＮＯ）、ステップＳ６６をスキップして、ステップＳ６８に進む。
【００７０】
タッチ操作判断部２４は、確定操作がされたかを判断する（ステップＳ６８）。希望する選択肢への切換えが終われば、ユーザにより指定項目での選択肢を確定する操作を行われる。確定操作は、ステップＳ５４での説明と同じである。
【００７１】
タッチ操作判断部２４は、確定操作がされていないと判断すると（ステップＳ６８ＮＯ）、ステップＳ６４に戻る。タッチ操作判断部２４が確定操作がされたと判断すると（ステップＳ６８ＹＥＳ）、表示制御部２６は、第２の選択操作ガイド１４２や選択肢列１２０を消去する（ステップＳ７０）。前述した図６Ｂの画面２１６に戻る。
【００７２】
〔第３の選択操作ガイド〕
次に、図５ＡのステップＳ４２に戻る。タッチ操作判断部２４は、指定項目が下位の選択肢を有する項目であると判断すると（ステップＳ４２ＹＥＳ）、ステップＳ８０に進む。下位の選択肢を有する項目とは、例えば、項目１１０ｇの特殊効果撮影である。ここでは、ステップＳ４０で項目１１０ｆのアスペクト比ではなく、項目１１０ｇの特殊効果撮影が指定されたとする。
【００７３】
表示制御部２６は、指定項目に対応する選択肢列１２５を画面の上部の選択肢エリア１２０ａに表示し（ステップＳ８０）、同時に、拡大した指定項目エリア１１６に代わり、第３の選択操作ガイド１５２を表示する（ステップＳ８２）。図１０は、第３の選択操作ガイド１５２が設けられた選択操作エリア１５０等を示す図である。
【００７４】
表示制御部２６は、選択肢エリア１２０ａに、選択肢列１２５ａと選択肢列１２５ｂを２段の選択肢列１２５を表示する。上段の選択肢列１２５ａは、指定項目の選択肢列である。ここでは、特殊効果撮影の選択肢の一部である７つの選択肢（Ａｒｔ３〜Ａｒｔ９）が表示される。現在設定されている選択肢「Ａｒｔ３」にはカーソル１２２ａが付される。
【００７５】
下段の選択肢列１２５ｂは下位の選択肢列で、ここでは、現在設定されている「Ａｒｔ３」の下位の選択肢として、「１」，「２」，「３」が表示される。「１」，「２」，「３」は、例えば特殊効果撮影の度合いで、「Ａｒｔ３」が、例えば線画風撮影とすると、「１」，「２」，「３」は、二値化処理時に設定される閾値の高低である。現在設定されている下位の選択肢には、カーソル１２２ｂが付される。
【００７６】
選択操作エリア１５０の上段の中央には、指定項目名１５０ｅが表示される。選択操作エリア１５０の上段には、選択肢列１２５ａでカーソルを移動用に、選択操作ガイドＡ１５２ａと、選択操作ガイドＢ１５２ｂが表示される。
【００７７】
また、選択操作エリア１５０の下段には、下位の選択肢列１２５ｂでカーソルを移動させるために、選択操作ガイドＣ１５２ｃ、選択操作ガイドＤ１５２ｄがそれぞれ表示される。
【００７８】
第３の選択操作ガイドは、選択操作ガイドＡ１５２ａ、選択操作ガイドＢ１５２ｂ、選択操作ガイドＣ１５２ｃ、選択操作ガイドＤ１５２ｄから構成される。また、選択操作ガイドＡ１５２ａと選択操作ガイドＢ１５２ｂをまとめて上位選択操作ガイド、選択操作ガイドＣ１５２ｃと選択操作ガイドＤ１５２ｄをまとめて下位選択操作ガイドとも呼ぶ。
【００７９】
タッチ操作判断部２４は、上位選択操作ガイドや下位選択操作ガイド等へのタッチを検出したかを判断する（ステップＳ８４）。タッチ操作判断部２４が、タッチ操作を検出したと判断すると（ステップＳ８４ＹＥＳ）、表示制御部２６は、タッチ操作判断部２４の検出に応じて、カーソルを移動させる（ステップＳ８６）。
【００８０】
タッチ操作判断部２４は、タッチ操作を検出していないと判断すると（ステップＳ８４ＮＯ）、ステップＳ８６をスキップして、ステップＳ８８に進む。タッチ操作判断部２４は、確定操作がされたかを判断する（ステップＳ８８）。希望する選択肢への切換え設定が終われば、ユーザにより指定項目での選択肢を確定する操作を行われる。確定操作は、ステップＳ５４での説明と同じであるので省略する。
【００８１】
タッチ操作判断部２４は、確定操作がされていないと判断すると（ステップＳ８８ＮＯ）、ステップＳ８４に戻る。タッチ操作判断部２４が確定操作がされたと判断すると（ステップＳ８８ＹＥＳ）、表示制御部２６は、第３の選択操作ガイド１５２、選択肢列１２５等を消去する（ステップＳ９０）。前述した図６Ｂの画面２１６のような画面に戻る。
【００８２】
具体例を示す。図１０の画面２５０で、選択操作ガイドＡ１５２ａがタッチされると、表示制御部２６は、選択肢列１２５ａで選択肢のカーソル１２２ａを「Ａｒｔ３」から「Ａｒｔ４」に送る（図１０の画面２５１）。さらに、図１０の画面２５０で選択操作ガイドＢ１５２ｄがタッチされると、表示制御部２６は、選択肢列１２５下段で下位の選択肢列１２５ｂのカーソル１２２ｂを「２」から「１」に移動させる（図１０の画面２５２）。
【００８３】
なお、第３の選択操作ガイドは、図１０に示す形態に限られるものではない。上位の選択操作ガイドとして、前述した第２の選択操作ガイドと同様に、高速操作ガイドを加えてもよい。図１１は、第３の選択操作ガイドの他の表示形態を示す図である。図１１は、選択操作エリアのみを示し、選択肢列１２５等は、図１０と同等であるので省略する。
【００８４】
図１１左の選択操作エリア１５４に設けられる第３の選択操作ガイド１５５は、選択肢及び下位の選択肢を送るガイドの形状を、左右にスライド移動可能なレバー形状を模したものである。
【００８５】
第３の選択操作ガイド１５５の上段のレバー１５５ａが、上位の選択肢列でカーソルを移動させる選択操作ガイドである。第３の選択操作ガイド１５５の下段のレバー１５５ｂが、下位の選択肢列でカーソルを移動させる選択操作ガイドである。
【００８６】
上段のレバー１５５ａの中央のブロックにタッチして指を右に移動させると、指の移動に応じて中央のブロックが右に移動し、上位の選択肢列でカーソルも右方向に移動する。逆にタッチした指を左に移動させると、中央のブロックが左に移動し、上位の選択肢列でカーソルも左方向に移動する。第３の選択操作ガイド１５５の下段のレバー１５５ｂについても、動作は同様である。
【００８７】
図１１右の選択操作エリア１５６に設けられる第３の選択操作ガイド１５７は、操作ガイドの形状を回転操作を示すリング形状に模したものである。
【００８８】
外周のリング１５７ａが、上位の選択肢列を送る操作ガイドである。リング１５７ａにタッチして、リング形状に沿って時計方向に回転させると、上位の選択肢列でカーソルが右方向に移動する。逆に反時計方向に回転させると上位の選択肢列でカーソルが左方向に沿って移動する。
【００８９】
内周のリング１５７ｂが、下位の選択肢列を送る操作ガイドである。リング１５７ｂにタッチして時計方向に回転させると、下位の選択肢列でカーソルが右方向に移動する。逆にタッチして反時計方向に回転させると、下位の選択肢列でカーソルは左方向に移動する。
【００９０】
<第２の選択肢処理>
条件選択が容易なユーザーインターフェースとしては、上述した第１の選択肢処理における選択操作ガイドに限られるものではない。以下、第２の選択肢処理として、選択操作ガイドの形態例をまとめて説明する。なお、第２の選択肢処理においては、選択肢の下位の選択肢の有無や選択肢の数に応じて、選択操作ガイドを変更する例は、含まない。以下、第２の選択肢処理における選択操作ガイドをまとめて第４の選択操作ガイドと呼ぶ。
【００９１】
第２の選択肢処理におけるカメラ１のブロック図は図１と同様で、メインのフローチャートも図２と同じであるので、説明は、省略する。図４において、制御部２０は、設定項目がタッチされた後（ステップＳ３２ＹＥＳ）、ステップＳ３８の第１の選択肢処理を第２の選択肢処理と読み替えて、第２の選択肢処理を実行する。図１２は、第２の選択肢処理の手順を説明するサブルーチンである。以下の処理は、第１の選択肢処理と同様に、主に、制御部２０、撮影条件設定部２２、タッチ操作判断部２４、表示制御部２６によって行われる。
【００９２】
表示制御部２６は、選択肢エリアに設けられた選択肢列を表示し（ステップＳ１００）、第４の選択操作ガイドを表示する（ステップＳ１０２）。タッチ操作判断部２４が、タッチを検出したかを判断する（ステップＳ１０４）。タッチ操作判断部２４が、タッチを検出したと判断すると（ステップＳ１０４ＹＥＳ）、表示制御部２６は、タッチ操作判断部２４の検出に応じて、カーソルを移動させる（ステップＳ１０６）。表示される第４の選択操作ガイドの具体例は、図１３〜図１７で説明する。
【００９３】
第４の選択操作ガイドの表示後、タッチ操作判断部２４が、タッチを検出していないと判断すると（ステップＳ１０４ＮＯ）、タッチ操作判断部２４は、確定操作がされたかを判断する（ステップＳ１０８）。タッチ操作判断部２４は、確定操作がされていないと判断すると（ステップＳ１０８ＮＯ）、ステップＳ１０４に戻る。タッチ操作判断部２４が確定操作がされたと判断すると（ステップＳ１０８ＹＥＳ）、表示制御部２６は、第４の選択操作ガイドや選択肢列等を消去する（ステップＳ１１０）。確定操作の具体例は、図１８で後述する。
【００９４】
図１３は、第２の選択肢処理における第４の選択操作ガイドその１を示す図である。その１は、指定項目エリア１１８を選択操作エリアとし、選択操作をスライド操作にした例である。
【００９５】
画面３００に表示された設定項目一覧１１０で、項目１１０ｅのＡＦモードがタッチされたとする。ＡＦモードが指定項目となり、表示制御部２６は、指定項目エリア１１８を中央に拡大表示する（画面３０１）。第４の選択操作ガイド１６２が内部に表示された選択操作エリア１６０が、指定項目エリア１１８を兼ねる。
【００９６】
画面３０２に示すように、第４の選択操作ガイド１６２で、矢印で示す左右方向へのスライド操作が行われると、表示制御部２６は、左右の動きに合わせて、選択肢列１２０でカーソル１２２を左右に移動させる。画面３０２は、右へスライド操作が行われて、カーソル１２２がＣ−ＡＦからＭＦに移動した状態である。なお、画面３０２の矢印は、指の動きを示すもので画面には表示されない。
【００９７】
図１４は、第２の選択肢処理における第４の選択操作ガイドその２を示す図である。その２は、指定項目エリア１１８と、第４の選択操作ガイド１７２を並列して表示する例である。
【００９８】
画面３１０で項目１１０ｅのＡＦモードが指定されたとする。表示制御部２６は、ＡＦモードを指定項目エリア１１８として画面中央に拡大表示するともに、画面の右側に第４の選択操作ガイド１７２が設けられた選択操作エリア１７０を表示する（画面３１１）。
【００９９】
第４の選択操作ガイド１７２は、リング形状である。第４の選択操作ガイド１７２への回転操作がタッチ操作判断部２４により検出されると、表示制御部２６は、回転方向に合わせて選択肢列１２０でカーソル１２２を移動させる（画面３１２）。画面３１３は、第４の選択操作ガイド１７２で時計方向に回転がされて、カーソル１２２が「ＭＦ」に移動した例である。なお、画面３１３の矢印は、指の動きを示すもので画面には表示されない。
【０１００】
図１５は、第２の選択肢処理における第４の選択操作ガイドその３を示す画面３２０である。その３は、指定項目エリアと共通化された選択操作エリア１７４の領域外の広い範囲が、操作エリアに設定されたものである。第４の選択操作ガイド１７６が、選択操作エリア１７４に円弧状の矢印として表示される。
【０１０１】
第４の選択操作ガイド１７６を含む矢印Ｐ１（表示はされない）の延長上の曲線全体が、操作エリアとなる。矢印Ｐ１に沿った回転操作が検出され、回転方向と回転角に合わせて、選択肢列１２０でカーソル１２２を移動させる。第４の選択操作ガイドその３では、第４の選択操作ガイド１７６の範囲外も操作エリアとして使用できるので、表示部面積が小さい場合でも、操作性が確保される。
【０１０２】
図１６は、第２の選択肢処理における第４の選択操作ガイドその４を示す図である。その４は、画面全体を操作領域に使用する例である。第４の選択操作ガイドその４は、ガイドが画面に明示されない例である。
【０１０３】
画面３３０は、設定項目一覧１１０でＡＦモードが指定されて、指定項目エリア１１８が中央に拡大表示され、設定項目一覧１１０に重畳して表示された状態である。第４の選択操作ガイドその４である指定項目エリア１１８の周囲が、回転操作領域として利用できる（画面３３０）。
【０１０４】
また、指定項目エリア１１８を画面の中央から端に寄せることも可能である（画面３３１）。画面中央を開けることで、操作感が向上する。なお、画面３３０．画面３３１の矢印は、指の動きを示すもので画面には表示されない。本例によれば、画面の大きな範囲を操作領域として利用できるので、比較的小さな表示部でも、操作性が確保できる。
【０１０５】
図１７は、第４の選択操作ガイドのその他の形態例を示す図である。図１７は、選択操作エリアのみを示し、選択肢列１２５等は、図１５等と同等であるので省略する。
【０１０６】
図１７左上に示す、選択操作エリア１７８に設けられた第４の選択操作ガイド１８０は、左右へのフリック（スライド）操作をさせて、カーソルを移動させるタイプである。フリックと同じ方向にカーソルが移動され、フリックされた長さや時間に応じて、カーソルの移動量が制御させる。
【０１０７】
図１７右上に示す、選択操作エリア１８２に設けられた第４の選択操作ガイド１８４は、カーソル移動量の異なるキーを設けたものである。第２の選択操作ガイド１４２と類似するものである。選択操作ガイド１８４ａ、１８４ｂ、１８４ｃは、カーソルを右方向に移動させるキーで、選択操作ガイド１８４ｄ、１８４ｅ、１８４ｆは、カーソルを左方向に移動させるキーである。
【０１０８】
そして、１回のタッチあるいは時間による右方向へのカーソル移動量が、選択操作ガイド１８４ａ、選択操作ガイド１８４ｂ、選択操作ガイド１８４ｃの順番で大きくなる。例えば１回のタッチで、選択操作ガイド１８４ａでは選択肢が１つ右に移動し、選択操作ガイド１８４ｂでは２つ右に移動し、選択操作ガイド１８４ｃでは３つ右に移動する。同様に、１回のタッチあるいはタッチ時間による左方向へのカーソル移動量が、選択操作ガイド１８４ｄ、選択操作ガイド１８４ｅ、選択操作ガイド１８４ｆの順番で大きくなる。
【０１０９】
図１７左中央に示す、選択操作エリア１８６に設けられた第４の選択操作ガイド１８８は、操作キーをレバー状にしたものである。図１１で説明した第３の選択操作ガイド１５５と類似するものである。レバー部分をタッチして左右に移動させることで、カーソルを左右方向に移動させる。
【０１１０】
図１７右中央に示す、選択操作エリア１９０に設けられた第４の選択操作ガイド１９２は、操作ガイドを回転ドラムを模したものである。回転ドラム状の部分に、選択肢列が表示される。回転ドラムの中央に表示される値が選択肢である。回転ドラム部分を回転させるように、左右にスライド操作させることで、回転ドラムが回転する表示がなされ、中央に表示される選択肢が切換る。
【０１１１】
図１７右下に示す、選択操作エリア１９４に設けられた第４の選択操作ガイド１９６は、押圧力の差異を検出可能なタッチパネル１２に用いられる。タッチ操作判断部２４が、押圧力の大小を検出する。第４の選択操作ガイド１９６へのタッチ時の押圧力に応じて、カーソルの移動ピッチや移動速度が切換えられる。
【０１１２】
第４の選択操作ガイド１９６の右側領域が軽く押されたら、カーソルが右に１つあるいはカーソルが遅い速度で右に移動される。例えば、第４の選択操作ガイド１９６の右側領域が強く押されたら、カーソルが右に３つあるいはカーソルが速い速度で右に移動される。第４の選択操作ガイド１９６の左側領域についても同様で、押圧力に応じて、カーソルの左への移動量が変化する。なお、破線で示す第４の選択操作ガイド１９６は、画面１９４に、表示してもよいし、表示されなくともよい。
【０１１３】
図１８は、確定操作の具体例を説明する図である。ここでは、選択操作ガイドとして、図１３で説明した第４の選択操作ガイドその１を代表して示すが、他の第１の選択操作ガイドや第２の選択操作ガイドが表示されている場合でも同様である。
【０１１４】
画面３４０は、確定操作例１である。確定操作例１では、中央の選択操作エリア１６０への１タッチ操作により、選択肢が確定される。確定されて、選択操作エリア１６０や選択肢列１２０や選択肢エリア１２０ａが消去され、設定項目一覧１１０に戻る（画面３４３）。
【０１１５】
画面３４１は、確定操作例２である。確定操作例２では、選択操作エリア１６０への、矢印で示す上下スライド操作により、選択肢が確定される。確定されて、選択操作エリア１６０や選択肢列１２０や選択肢エリア１２０ａが消去され、設定項目一覧１１０に戻る（画面３４３）。確定操作例２は、図１３の第４の選択操作ガイドその１や、図１７の第４の選択操作ガイド１８０への適用が、望ましい。
【０１１６】
画面３４２は、確定操作例３である。確定操作例３では、選択操作エリア１６０以外の領域へのタッチ操作により、選択肢が確定される。確定されて、選択操作エリア１６０や選択肢列１２０や選択肢エリア１２０ａが消去され、設定項目一覧１１０に戻る（画面３４３）。
【０１１７】
以上説明した各実施形態によれば、指定された項目は、拡大して重畳して表示し、また指定された項目の選択肢一覧も表示し、さらに指定された項目の選択肢の内容によって、適当な選択操作ガイドが表示されるので、機器の条件の選択操作性および視認性が向上する。
【０１１８】
例えば、選択された項目は、拡大し重畳して表示するので、選択肢の一覧を選択肢列として、設定項目一覧画面上に表示されて、画面が切換わることもないので、階層を意識しないで選択肢の設定操作が容易になる（設定項目一覧画面から選択肢の一覧が表示された画面に切換ってしまうと、他の設定項目の条件がわからなくなるからである）。
【０１１９】
また、指定された項目とは別の領域に選択肢の一覧を選択肢列として表示するので、タッチする必要がないため、操作性とまとめて表示できる情報の数の間でトレードオフがない。タッチパネル上での小さな指の動きで、選択肢列でカーソルを大きく移動することができるため、タッチ操作はできなくても見えさえすれば良く、その分小さいサイズにできるため、視認性が上がる。
【０１２０】
また、選択操作エリアとは別の領域に選択肢の一覧を選択肢列として表示するので、選択肢列はタッチする必要がないため、操作性とまとめて表示できる情報の数の間でトレードオフがない。操作性を落とすことなく、視認性を上げることができる。さらに、選択操作エリアでも小さな指の動きで、選択肢列でカーソルを大きく移動することができるので、選択操作エリアも必要最小限のサイズで良く、操作性が上がる。
【０１２１】
さらに、第２の選択操作ガイドには、高速操作ガイドを設けたので、選択肢が多い項目でも、短時間で希望の選択肢を選ぶことができる。また、第３の選択操作ガイドには、下位の操作ガイドを設けたので、選択肢が更に下位の選択肢を有する場合でも、画面を切換えることなく、選択肢と下位の選択肢を同時に選ぶことができる。
【０１２２】
なお、上記各実施形態では、各選択操作ガイドにより選択肢列の中でカーソルを移動させると説明したが、選択肢の特定は、カーソル以外でも可能である。例えば、選択操作ガイドの操作に応じて、特定の選択肢の色や形状を変化させて、識別可能に表示してもよい。
【０１２３】
なお、上記実施形態では、制御部２０は、制御プログラムを読込んだＣＰＵによるソフトウェア処理で実現と説明したが、一部または全部をハードウェアにより構成されてもよい。また、表示制御装置をデジタルカメラに搭載した例を示したが、これに限るものではなく、上記表示制御装置は、デジタルカメラ以外の各携帯端末に適用可能である。
【０１２４】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０１２５】
１    カメラ
２    撮像部
４    画像処理部
６    ＲＡＭ
８    メモリ
１０  操作部
１２  タッチパネル
１４  表示部  
２０  制御部
２２  撮影条件設定部
２４  タッチ操作判断部
２６  表示制御部
１００  ライブビュー  
１１０  設定項目一覧
１１６，１１８  指定項目エリア
１２０  選択肢列
１２２、１２２ａ、１２２ｂ  カーソル
１３０，１４０，１５０、１５４，１５６、１６０、１７０、１７４，１７８、１８２，１８６、１９０、１９４    選択操作エリア
１３２  第１の選択操作ガイド
１４２  第２の選択操作ガイド
１５２，１５５、１５７  第３の選択操作ガイド
１６２，１７２、１７６、１８０，１８４、１８８，１９２，１９６  第４の選択操作ガイド
【図１】
0006322102.tif 000002
【図２】
0006322102.tif 000003
【図３】
0006322102.tif 000004
【図４】
0006322102.tif 000005
【図５Ａ】
0006322102.tif 000006
【図５Ｂ】
0006322102.tif 000007
【図６Ａ】
0006322102.tif 000008
【図６Ｂ】
0006322102.tif 000009
【図７】
0006322102.tif 000010
【図８】
0006322102.tif 000011
【図９】
0006322102.tif 000012
【図１０】
0006322102.tif 000013
【図１１】
0006322102.tif 000014
【図１２】
0006322102.tif 000015
【図１３】
0006322102.tif 000016
【図１４】
0006322102.tif 000017
【図１５】
0006322102.tif 000018
【図１６】
0006322102.tif 000019
【図１７】
0006322102.tif 000020
【図１８】
0006322102.tif 000021